(57)【特許請求の範囲】
【請求項１】
建築物の屋上緑化に用いられる板状の保水用パッドを製造するにあたり、繊維と発泡ポリウレタンとの固化物を圧縮成形する工程を含み、その圧縮成形により、保水用パッドに、耐根機能と、前記繊維による保水性ならびに通水性の機能を持たせるようにし、さらに、前記圧縮成形する工程において、保水用パッドを透過した余剰水の排水路を形成するため保水用パッドの裏面に縦横の溝を形成することを特徴とする屋上緑化用の保水用パッドの製造方法。
【請求項２】
請求項１記載の屋上緑化用の保水用パッドの製造方法で製造された屋上緑化用の保水用パッド。
【請求項３】
屋上緑化用の植生基盤であって、屋上の防水処理部に耐根シートを敷設し、この耐根シート上に請求項２記載の保水用パッドを設置する一方、保水用パッド上に植生基材を施工して成ることを特徴とする屋上緑化用の植生基盤。
【請求項４】
請求項３に記載された植生基盤を屋上に造成し、この植生基盤に、切芝やロール芝などの芝体と、植物種子を貼着した植生シートと、植生基盤に移植される植物と、植生基盤に播種される植物種子と、植生基盤に予め混合される植物種子の少なくとも一つによって植生を行うことを特徴とする屋上の緑化工法。
【発明の詳細な説明】
【０００１】
【発明の属する技術分野】
本発明は、建築物における屋上緑化用の保水用パッドの製造方法、屋上緑化用の保水用パッド、このパッドを用いた植生基盤および屋上の緑化工法に関する。
【０００２】
【従来の技術】
例えば、事業所ビルやマンション、その他、プレハブ建築の家屋や瓦屋根の家屋、トタン屋根の家屋などでは、夏場の太陽熱を断熱するために、屋上や最上階の部屋の屋根裏などに断熱材が施工されるが、それでも太陽に晒される屋上側の部屋とその下階の部屋とでは、かなりの温度差があり、特にトタン屋根の家屋では、それが一層顕著である。
【０００３】
そこで近年では、建築物の屋上を防水処理して、この防水処理部に植生基盤を造成し、この植生基盤に、切芝やロール芝などの芝体や草花、灌木などの植生を行って、目に安らぎを与える緑化を行うと同時に、植生基盤を断熱材として、更には、散水によって暑さを凌ぐようにしている。
【０００４】
この屋上の緑化に際しては、植生基盤に適度な保水性と排水性とを有せしめることが極めて重要であることから、従来は図７に示すように、スラブコンクリートによる屋上２１に、例えばアスファルトによる防水処理して、この防水処理部２２に防水保護シート２３を敷設し、このシート２３上に、例えば保水用のパーライト２４を収容するためのパネル２５を設置している。
【０００５】
そして、通水性を有せしめながら、植生の通根を阻止するために、透水マット２６と透水シート２７とを敷設して、このシート２７上に植生基材２８を施工し、これら２３〜２８による植生基盤２９に植生を行うようにしている。
【０００６】
尚、上記のパネル２５は、パーライト２４の収容部３０と、この収容部３０を区画する溝３１と、この溝３１に収容部３０を連通させる溝３２と、係止構造によるパネル継手３３とを備えた合成樹脂製の成形品であって、溝底板には透孔が形成されている。
【０００７】
【発明が解決しようとする課題】
上記の構成にかゝる植生基盤２９では、適切な保水性と余剰水の排水性とを有することから、導入植物にとって良好な生育環境を得ることができるのであるが、保水・排水層の構造として、形状が複雑でコストの高いパネル２５に加えて、防水保護シート２３と透水マット２６と透水シート２７とによる複雑な４層の積み重ね構造をとっていることから、施工コストが非常に高く付き、かつ、多大の施工時間を要する点で問題があった。
【０００８】
また、パネル２５に形成された多数の収容部３０にパーライト２４を供給する作業手間も膨大なものとなる上に、この供給の際にパネル２５を踏みつけることで、パネル２５を破損することが懸念されることから、作業に慎重さが要求されるようになり、これも施工時間の延長に繋がり、更に、破損面を考慮してパネル２５を強固に構成することに加えて、パネル２５の形状が複雑であることから、パネル２５を任意の形状に裁断することが非常に困難であって、曲面に沿わせての施工に時間がかゝる点でも問題があった。
【０００９】
本発明は、かゝる実情に鑑みて成されたものであって、その目的は、保水・排水層の構造を簡略化できる屋上緑化用の保水用パッドの製造方法及びその保水用パッドと、このパッドを用いてコスト的に安価に且つ短時間で造成される植生基盤、及び、簡単な手間でコスト的に安価に緑化できる屋上の緑化工法を提供する点にある。
【００１０】
【課題を解決するための手段】
即ち、本発明は、建築物の屋上緑化に用いられる板状の保水用パッドを製造するにあたり、繊維と発泡ポリウレタンとの固化物を圧縮成形する工程を含み、その圧縮成形により、保水用パッドに、耐根機能と、前記繊維による保水性ならびに通水性の機能を持たせるようにし、さらに、前記圧縮成形する工程において、保水用パッドを透過した余剰水の排水路を形成するため保水用パッドの裏面に縦横の溝を形成することを特徴とする屋上緑化用の保水用パッドの製造方法を提供する（請求項１）。また、本発明は、請求項１記載の屋上緑化用の保水用パッドの製造方法で製造された屋上緑化用の保水用パッドを提供する（請求項２）。
【００１１】
上記の構成による保水用パッドでは、繊維と発泡ポリウレタンとの固化物で圧縮成形されることから、高い耐根機能（植生の根を通過させない機能）を発揮するようになり、これに加えて、パッドが繊維を含むことから、保水性ならびに通水性の機能を併せ持つようになり、更に、パッド裏面の縦横の溝は、パッドを透過した余剰水の排水路を形成するのであって、本発明によれば、単に一枚の保水用パッドによって、植生基盤の保水・排水層を構成することができる。
【００１２】
また、全体を単に板状に成形するだけのシンプルな構成であることから、保水用パッドをコスト的に安価に得ることができ、しかも、カッター等によって任意の形状に裁断することが容易に可能であり、かつ、踏みつけても破損の心配がないのである。
【００１３】
屋上の緑化に際して、屋上の防水処理部に耐根シートを敷設し、この耐根シート上に上記の構成による保水用パッドを設置する一方、保水用パッド上に植生基材を施工すれば（請求項３）、屋上緑化用の植生基盤を短時間で造成することができる。
【００１４】
即ち、保水・排水層を四層の積み重ね構造としていた従来の手段に対して、本発明では、耐根シートと保水・排水層を構成する保水用パッドを用いるだけであるから、植生基盤の造成時間が大幅に短縮されるのである。
【００１５】
しかも、保水・排水層の簡略化のみならず、保水用パッドが安価であることから、更には、保水用パッドを踏んづけても破損し難いことから、作業性の向上と施工コストの大幅な低減が達成されるのである。
【００１６】
ここで、保水用パッドが高い耐根機能を発揮することから、特には耐根シートの敷設は不要であるが、万が一の安全性を考慮して耐根シートを備えているのであって、本発明によれば、適度な保水性と通気性とを併せ持つ保水用パッドを用いることから、導入植物にとって良好な生育環境の植生基盤を得ることができるのである。
【００１７】
屋上の緑化工法として、上記の植生基盤を屋上に造成し、この植生基盤に、切芝やロール芝などの芝体と、植物種子を貼着した植生シートと、植生基盤に移植される植物と、植生基盤に播種される植物種子と、植生基盤に予め混合される植物種子の少なくとも一つによって植生を行うことで（請求項４）、目に安らぎの緑化と同時に、植生基盤を断熱材とする屋上の緑化・断熱が達成される。
【００１８】
【発明の実施の形態】
以下、本発明の実施の形態を図面に基づいて説明する。図１〜図５は建築物の屋上１に対する緑化工法の実施手順を示している。
【００１９】
緑化工法の実施に際して、先ずは図１に示すように、緑地と遊歩道とを区分けするように、縁石２などをデザイン的に見栄えよく屋上１に配置する。
【００２０】
そして、スラブコンクリートによる屋上１には本来、防水層３が施工されているが、これとは別に、縁石２で囲った緑地域の防水層３上に、例えばアスファルト４の塗装や防水シートの施工等による防水処理を施すのである。
【００２１】
次に、図２に示すように、縁石２と防水処理部４とを覆うように、例えば１．３ｍｍ厚さの合成樹脂製の耐根シート（例えば塩化ビニールや非加硫ゴム系シートなど）５を敷設するのである。
【００２２】
次いで、図３に示すように、縁石２の内側に沿わせて立ち上げるように、かつ、耐根シート５を覆うように、保水用パッド６を設置すると共に、隣り合う保水用パッド６、６を互いに接着テープ７で接合して、保水用パッド６，６の突き合わせ目地ｔを封止し、この後、縁石２に覆い被せた耐根シート５を、縁石２の内側に沿わせて設置した保水用パッド６側に折り返しておくのである。
【００２３】
この際、保水用パッド６を縁石２の内側に沿わせて立ち上げることなく、保水用パッド６を縁石２の配列に沿わせるように、その端部をカットして、保水用パッド６を耐根シート５上にのみ敷設するようにしてもよいのである。
【００２４】
尚、保水用パッド６の突き合わせ接合の手段は、上記の接着テープ７に限られるものではなく、保水用パッド６の接合端部に例えば凹凸などの切り欠きを形成して、この切り欠き同士を接合するなどの手段や、更に、この切り欠きによる接合部に接着テープによる接合を付加する等の変更が可能である。
【００２５】
上記の保水用パッド６は、ペットボトルなどの合成樹脂製品のリサイクル資材を繊維化したものと、裁断屑の繊維と、回収衣類などの生地から得られる繊維の少なくとも一つを選択して、この繊維を発泡ポリウレタンによって固化し、かつ、図６に示すように、裏面（耐根シート５への設置面）に縦横の溝ａ，ｂを形成するように、板状に圧縮成形して成る。
【００２６】
より具体的には、繊維と発泡ポリウレタンとの固化物をプレス加工機に導入して、縦Ａ寸法が１０００ｍｍ、横Ｂ寸法が１０００ｍｍで、厚みＴが約２０ｍｍの保水用パッド６を圧縮成形しており、かつ、この圧縮成形の際に、１１０ｍｍピッチで９本の溝ａを縦Ａ方向に、かつ、３００ｍｍピッチで３本の溝ｂを横Ｂ方向に形成して、全体の比重が０．１５〜０．５程度になるようにしている。
【００２７】
溝ａ，ｂの深さは約１０ｍｍであって、溝ａの側壁ｃは、４５度の傾斜面に成形され、溝ｂの側壁ｄは、抜き勾配を付けて殆ど鉛直面に成形されているが、これは一つの成形例であって、諸寸法Ａ，Ｂ，Ｔならびに溝ピッチと溝深さ及び溝形状は、任意に設定されるものとする。
【００２８】
次に、図４に示すように、耐根シート５の折り返し部分を埋めるように、保水用パッド６の上に植生基材８を施工して、屋上緑化用の植生基盤９を造成するのであり、次いで図５に示すように、この植生基盤９に、草花の苗移植や切芝の芝張り工などの植生を行って、屋上１の緑化工法を完了するのである。
【００２９】
上記の緑化工法によれば、植生基盤９を造成するために用いた保水用パッド６が、高い耐根機能を有することに加えて、保水性ならびに通水性の機能を併せ持ち、かつ、パッド裏面の縦横の溝ａ，ｂが、パッド６を透過した余剰水の排水路を形成することから、単に一枚の保水用パッド６を施工するだけで、耐根性に優れる保水・排水層が構成される。
【００３０】
そして、保水用パッド６が、リサイクル資材を繊維化したものや裁断屑の繊維などを選択したシンプルな板状の構成であって、安価に得ることができる上に、踏みつけても破損し難いことから、かつ、上記したように保水・排水層が簡略化されることから、作業性の向上と施工コストの大幅な低減の下で、植生基盤９を短時間で造成することができる。
【００３１】
しかも、この保水用パッド６は、カッター等によって任意の形状に裁断することが容易に可能であることから、縁石２をデザイン的に複雑な形状に配置しても、これに沿わせてのパッド６の施工を短時間で簡易に行うことができる。
【００３２】
尚、保水用パッド６に用いる繊維として、ペットボトルなどのリサイクル資材を繊維化したもの等を用いているので、公害防止の一助になる利点があるも、このような繊維に限られるものではないことは言うまでもない。
【００３３】
ここで、上記の植生基材８として、単位容積当たりの重量を軽くしつつ、時を経ての植生基盤９の厚さの目減りも小さくなるように、更に、適度な保水性と通気性とを併せ持たせて、導入植物にとって良好な生育環境の植生基盤９を得る上で、かつ、十分な保肥力を持って性状的に難燃性を示すように、軽石や焼成真珠岩などのポーラスな無機質材の６５〜８５容量％と、ピートモスやバーク堆肥などの植物性の有機質材の３５〜１５容量％とを混合して成るものを用いるものとするが、導入植物の更なる生育環境の良質化や植生基材８の一層の軽量化を図るならば、ポーラスな無機質材の７０〜８０容量％と植物性の有機質材の３０〜２０容量％を混合することが好ましい。
【００３４】
このことから、この実施の形態では、軽石（ボラ土）の３５．３容量％と、焼成真珠岩（パーライト）の３５．５容量％と、ピートモスの１１．８容量％と、バーク堆肥の１１．８容量％と、酸性矯正のために焼却灰の５．９容量％の混合物を用いており、この配合比率による植生基材８では、比重が０．６７７と非常に軽量であることから、屋上１に荷重負担の少ない植生基盤９を構築できる利点がある。
【００３５】
尤も、上記の配合比率は好ましい一例であって、配合比率は任意に変更可能であり、かつ、配合比率を任意に変更した際、湿潤時における比重を０．５〜０．８程度にすることが望ましい。
【００３６】
尚、上記の実施の形態では、緑化のために、草花の苗移植や切芝の芝張り工などの植生を行っているが、これに代えて、或いは、これに加えて、例えば水溶性紙や落綿などの腐食性材料の間に、肥料や土壌改良材などと共に植物種子を挟在させた植生シートや、植物種子の発芽・生育を可能とした腐食性材料に、ポリビニルアルコールなどの水溶性糊剤を介して肥料や土壌改良材などと共に植物種子を付着保持させた植生シートなどを、植生基盤９の上面に施工したり、植物種子を植生基盤９に播種したり、更には、植生基材８に植物種子を含ませて、この植生基材８によって植生基盤９を造成したり、灌木の苗や成木などを移植したりして、植生の導入を図るようにしてもよいのである。
【００３７】
【発明の効果】
以上説明したように、請求項１，２記載の発明によれば、任意の形状にカットすることが容易で、かつ、破損し難い上に、保水・排水層の構造を簡略化できる保水用パッドが、高い耐根機能を有するものにして安価に提供される。
【００３８】
そして、請求項３記載の発明によれば、造成時間を大幅に短縮できる上に、作業性の向上と施工コストが大幅に低減される植生基盤が提供され、請求項４記載の発明によれば、屋上の緑化が短時間で且つコスト的に安価に達成される緑化工法が提供される。
【図面の簡単な説明】
【図１】  屋上の緑化工法における、縁石の配置と防水処理の状況説明図である。
【図２】  耐根シートの敷設状況を示す説明図である。
【図３】  保水用パッドの設置状況を示す説明図である。
【図４】  植生基材の施工による植生基盤の造成状況を示す説明図である。
【図５】  植生の施工による屋上緑化の状況を示す説明図である。
【図６】  裏面側から見た保水用パッドの斜視図である。
【図７】  従来例の植生基盤の構成図である。
【符号の説明】
１…屋上、４…防水処理部、５…耐根シート、６…保水用パッド、７…接着テープ、８…植生基材、９…植生基盤、ｔ…目地。
【図１】
0004589505.tif 000002
【図２】
0004589505.tif 000003
【図３】
0004589505.tif 000004
【図４】
0004589505.tif 000005
【図５】
0004589505.tif 000006
【図６】
0004589505.tif 000007
【図７】
0004589505.tif 000008